(57)【要約】      （修正有）【課題】２人で遊ぶことができるパチンコ遊戯機を提供する。【解決手段】パチンコ遊戯機１は、第１パチンコ機本体３と、第２パチンコ機本体４と、これら第１パチンコ機本体３および第２パチンコ機本体４間に位置する排出手段31とを備える。排出手段31は、第１パチンコ機本体３の玉入口部20に入ったパチンコ球の数および第２パチンコ機本体４の玉入口部30に入ったパチンコ球の数のいずれか一方がいずれか他方より先に設定数に達した場合に、両玉入口部20，30に入ったパチンコ球の合計数に応じた数のコイン２を排出する。【選択図】図１
0003113974.tif 000002
【実用新案登録請求の範囲】
【請求項１】
玉入口部を有する第１パチンコ機本体と、
玉入口部を有する第２パチンコ機本体と、
前記第１パチンコ機本体の玉入口部に入ったパチンコ球の数および前記第２パチンコ機本体の玉入口部に入ったパチンコ球の数のいずれか一方がいずれか他方より先に予め設定された設定数に達した場合に、前記第１パチンコ機本体の玉入口部に入ったパチンコ球の数と前記第２パチンコ機本体の玉入口部に入ったパチンコ球の数との合計数に応じた数の物品を排出する排出手段と
を備えることを特徴とするパチンコ遊戯機。
【請求項２】
玉入口部を有する第１パチンコ機本体と、
玉入口部を有する第２パチンコ機本体と、
前記第１パチンコ機本体の近傍に位置し、物品を受け入れる第１受入体と、
前記第２パチンコ機本体の近傍に位置し、物品を受け入れる第２受入体と、
前記第１パチンコ機本体の玉入口部に入ったパチンコ球の数が、前記第２パチンコ機本体の玉入口部に入ったパチンコ球の数より先に、予め設定された設定数に達した場合に、前記第１パチンコ機本体の玉入口部に入ったパチンコ球の数と前記第２パチンコ機本体の玉入口部に入ったパチンコ球の数との合計数に応じた数の物品を前記第１受入体側に向けて排出し、前記第２パチンコ機本体の玉入口部に入ったパチンコ球の数が、前記第１パチンコ機本体の玉入口部に入ったパチンコ球の数より先に、予め設定された設定数に達した場合に、前記第１パチンコ機本体の玉入口部に入ったパチンコ球の数と前記第２パチンコ機本体の玉入口部に入ったパチンコ球の数との合計数に応じた数の物品を前記第２受入体側に向けて排出する排出手段と
を備えることを特徴とするパチンコ遊戯機。
【請求項３】
設定数を設定するための設定数用操作手段を備える
ことを特徴とする請求項１または２記載のパチンコ遊戯機。
【請求項４】
ハンディを設定するためのハンディ用操作手段を備える
ことを特徴とする請求項１ないし３のいずれか一記載のパチンコ遊戯機。
【請求項５】
第１パチンコ機本体の玉入口部に入ったパチンコ球の数を表示する第１表示手段と、
第２パチンコ機本体の玉入口部に入ったパチンコ球の数を表示する第２表示手段とを備える
ことを特徴とする請求項１ないし４のいずれか一記載のパチンコ遊戯機。
【考案の詳細な説明】
【技術分野】
【０００１】
本考案は、２人で遊ぶことができるパチンコ遊戯機に関するものである。
【背景技術】
【０００２】
従来、例えばロータリーソレノイド或いはモータ等の作動により遊戯面に向けてパチンコ球を打球杆で打球して発射する発射手段と、ユニット基板から前方に突出したハンドル被取付部に回動可能に取り付けられた操作ハンドルとを備え、操作ハンドルを握ってこの操作ハンドルを所定量回動させると、この操作ハンドルの回動量に対応した発射強弱をもって発射手段にてパチンコ球が連発発射されるパチンコ遊戯機が知られている（例えば、特許文献１参照）。
【特許文献１】特公昭５７−１５９１７号公報
【考案の開示】
【考案が解決しようとする課題】
【０００３】
しかしながら、上記従来のパチンコ遊戯機では、１人でしか遊ぶことができず、例えば友人同士の２人や、男女のカップルの２人では遊ぶことができないという問題がある。
【０００４】
本考案は、このような点に鑑みなされたもので、２人で遊ぶことができるパチンコ遊戯機を提供することを目的とする。
【課題を解決するための手段】
【０００５】
請求項１記載のパチンコ遊戯機は、玉入口部を有する第１パチンコ機本体と、玉入口部を有する第２パチンコ機本体と、前記第１パチンコ機本体の玉入口部に入ったパチンコ球の数および前記第２パチンコ機本体の玉入口部に入ったパチンコ球の数のいずれか一方がいずれか他方より先に予め設定された設定数に達した場合に、前記第１パチンコ機本体の玉入口部に入ったパチンコ球の数と前記第２パチンコ機本体の玉入口部に入ったパチンコ球の数との合計数に応じた数の物品を排出する排出手段とを備えるものである。
【０００６】
請求項２記載のパチンコ遊戯機は、玉入口部を有する第１パチンコ機本体と、玉入口部を有する第２パチンコ機本体と、前記第１パチンコ機本体の近傍に位置し、物品を受け入れる第１受入体と、前記第２パチンコ機本体の近傍に位置し、物品を受け入れる第２受入体と、前記第１パチンコ機本体の玉入口部に入ったパチンコ球の数が、前記第２パチンコ機本体の玉入口部に入ったパチンコ球の数より先に、予め設定された設定数に達した場合に、前記第１パチンコ機本体の玉入口部に入ったパチンコ球の数と前記第２パチンコ機本体の玉入口部に入ったパチンコ球の数との合計数に応じた数の物品を前記第１受入体側に向けて排出し、前記第２パチンコ機本体の玉入口部に入ったパチンコ球の数が、前記第１パチンコ機本体の玉入口部に入ったパチンコ球の数より先に、予め設定された設定数に達した場合に、前記第１パチンコ機本体の玉入口部に入ったパチンコ球の数と前記第２パチンコ機本体の玉入口部に入ったパチンコ球の数との合計数に応じた数の物品を前記第２受入体側に向けて排出する排出手段とを備えるものである。
【０００７】
請求項３記載のパチンコ遊戯機は、請求項１または２記載のパチンコ遊戯機において、設定数を設定するための設定数用操作手段を備えるものである。
【０００８】
請求項４記載のパチンコ遊戯機は、請求項１ないし３のいずれか一記載のパチンコ遊戯機において、ハンディを設定するためのハンディ用操作手段を備えるものである。
【０００９】
請求項５記載のパチンコ遊戯機は、請求項１ないし４のいずれか一記載のパチンコ遊戯機において、第１パチンコ機本体の玉入口部に入ったパチンコ球の数を表示する第１表示手段と、第２パチンコ機本体の玉入口部に入ったパチンコ球の数を表示する第２表示手段とを備えるものである。
【考案の効果】
【００１０】
請求項１に係る考案によれば、第１パチンコ機本体の玉入口部に入ったパチンコ球の数および第２パチンコ機本体の玉入口部に入ったパチンコ球の数のいずれか一方がいずれか他方より先に予め設定された設定数に達した場合に、第１パチンコ機本体の玉入口部に入ったパチンコ球の数と第２パチンコ機本体の玉入口部に入ったパチンコ球の数との合計数に応じた数の物品が排出されるため、パチンコ球が玉入口部に入るのを競い合うことができ、２人で遊ぶことができる。
【００１１】
請求項２に係る考案によれば、第１パチンコ機本体の玉入口部に入ったパチンコ球の数が第２パチンコ機本体の玉入口部に入ったパチンコ球の数より先に予め設定された設定数に達した場合に、第１パチンコ機本体の玉入口部に入ったパチンコ球の数と第２パチンコ機本体の玉入口部に入ったパチンコ球の数との合計数に応じた数の物品が第１受入体側に向けて排出され、第２パチンコ機本体の玉入口部に入ったパチンコ球の数が第１パチンコ機本体の玉入口部に入ったパチンコ球の数より先に予め設定された設定数に達した場合に、第１パチンコ機本体の玉入口部に入ったパチンコ球の数と第２パチンコ機本体の玉入口部に入ったパチンコ球の数との合計数に応じた数の物品が第２受入体側に向けて排出されるため、パチンコ球が玉入口部に入るのを競い合うことができ、２人で遊ぶことができる。
【００１２】
請求項３に係る考案によれば、設定数用操作手段を操作することによって設定数を簡単に設定できる。
【００１３】
請求項４に係る考案によれば、ハンディ用操作手段を操作することによってハンディを簡単に設定できる。
【００１４】
請求項５に係る考案によれば、第１表示手段および第２表示手段によって、玉入口部に入ったパチンコ球の数を容易に知ることができる。
【考案を実施するための最良の形態】
【００１５】
本考案のパチンコ遊戯機の一実施の形態を図面を参照して説明する。
【００１６】
図１において、１はパチンコ遊戯機で、このパチンコ遊戯機１は、例えばゲームセンター等に設置され１人モード状態時には１人で遊ぶことが可能で２人モード状態時には２人で遊ぶことが可能なコインゲーム装置である。
【００１７】
パチンコ遊戯機１は、パチンコ遊戯機１の右側に位置する第１パチンコ機本体３と、パチンコ遊戯機１の左側に位置する第２パチンコ機本体４とを備えている。
【００１８】
第１パチンコ機本体３および第２パチンコ機本体４は、基本的な構造が同一のもので、物品であるコイン２をコイン投入口５，６に投入することによって予め設定された数のパチンコ球で遊ぶことが可能となっている。
【００１９】
第１パチンコ機本体３は、ロータリーソレノイドの作動により遊戯面11に向けてパチンコ球を打球杆12で打球して案内レール13に沿って発射する発射手段14と、ユニット基板から前方に突出したハンドル被取付部15に回動可能に取り付けられた操作ハンドル16とを有している。遊戯面11には、複数の玉入口部（入賞口）18，19，20が設けられている。複数の玉入口部18，19，20のうち、予め設定された１つの玉入口部20が残りの２つの玉入口部18，19とは異なり２人モード状態時に特定入賞口となる２人モード対応の玉入口部となっている。第１パチンコ機本体３の下部前面側には、１人モード状態時において玉入口部18，19，20にパチンコ球が入った際にその都度第１パチンコ機本体３から排出される物品であるコイン２を受け入れる上面開口状の第１受皿20aが設けられている。
【００２０】
第２パチンコ機本体４は、第１パチンコ機本体３と同様、ロータリーソレノイドの作動により遊戯面21に向けてパチンコ球を打球杆22で打球して案内レール23に沿って発射する発射手段24と、ユニット基板から前方に突出したハンドル被取付部25に回動可能に取り付けられた操作ハンドル26とを有している。遊戯面21には、複数の玉入口部（入賞口）28，29，30が設けられている。複数の玉入口部28，29，30のうち、予め設定された１つの玉入口部30が残りの２つの玉入口部28，29とは異なり２人モード状態時に特定入賞口となる２人モード対応の玉入口部となっている。第２パチンコ機本体４の下部前面側には、１人モード状態時において玉入口部28，29，30にパチンコ球が入った際にその都度第２パチンコ機本体４から排出される物品であるコイン２を受け入れる上面開口状の第２受皿30aが設けられている。
【００２１】
また、パチンコ遊戯機１は、図１および図２に示すように、２人モード状態時において、第１パチンコ機本体３の特定入賞口である特定の玉入口部20に入ったパチンコ球の数および第２パチンコ機本体４の特定入賞口である特定の玉入口部30に入ったパチンコ球の数のいずれか一方がいずれか他方より先に予め設定された設定数（例えば１０個）に達した場合に、玉入口部20に入ったパチンコ球の数と玉入口部30に入ったパチンコ球の数との合計数に応じた数の物品であるコイン２を排出する排出手段31を備えている。
【００２２】
排出手段31は、１ユニット状に構成されたもので、左右両側の第１パチンコ機本体３および第２パチンコ機本体４間に組み込まれて配設されている。また、排出手段31の下部前面側には、２人モード状態時に排出手段31から排出されるコイン２を受け入れる上面開口状の第１受入体33および第２受入体34がパチンコ機本体３，４に対応して設けられている。第１受入体33は第１パチンコ機本体３の近傍に位置し、第２受入体34は第２パチンコ機本体４の近傍に位置する。
【００２３】
そして、２人モード状態時において、第１パチンコ機本体３の玉入口部20に入ったパチンコ球の数が第２パチンコ機本体４の玉入口部30に入ったパチンコ球の数より先に設定数に達した場合には、両方の玉入口部20，30に入ったパチンコ球の数の合計数に応じた数のコイン２が第１受入体33側に向けて排出され、この排出されたコイン２が第１受入体33内に収容される。また、２人モード状態時において、第２パチンコ機本体４の玉入口部30に入ったパチンコ球の数が第１パチンコ機本体３の玉入口部20に入ったパチンコ球の数より先に設定数に達した場合には、両方の玉入口部20，30に入ったパチンコ球の数の合計数に応じた数のコイン２が第２受入体34側に向けて排出され、この排出されたコイン２が第２受入体34内に収容される。
【００２４】
さらに、排出手段31には、２人モード状態で２人で競い合う設定数、つまり玉入口部20，30に入れるべきパチンコ球の数（例えば１０個、２０個、３０個）を設定するための切換レバー等の設定数用操作手段41が設けられている。
【００２５】
また、排出手段31には、選択された第１パチンコ機本体３または第２パチンコ機本体４に対してハンディ（例えば２個、５個）を設定するための切換レバー等のハンディ用操作手段42が設けられている。例えば図示しない選択ボタンで第２パチンコ機本体４が選択されかつ設定数用操作手段41で設定数が「１０」に設定された状態で、ハンディ用操作手段42が操作されて「２」の表示の下方に位置決めされた場合、第２パチンコ機本体４側の遊戯者は、ハンディ「２」をもらったこととなり、第１パチンコ機本体３の玉入口部20に入ったパチンコ球の数が１０個になる前に、第２パチンコ機本体４の玉入口部30にパチンコ球を８個入れれば勝ちになる。
【００２６】
さらに、排出手段31には、１人モード状態か２人モード状態かを設定するための切換レバー等のモード用操作手段43が設けられている。また、排出手段31には、第１パチンコ機本体３の玉入口部20に入ったパチンコ球の数を表示する第１表示手段45と、第２パチンコ機本体４の玉入口部30に入ったパチンコ球の数を表示する第２表示手段46とが設けられている。第１表示手段45の下方近傍の第１ランプ47は、第１パチンコ機本体３の玉入口部20に入ったパチンコ球の数が設定数に達した際に点滅する。第２表示手段46の下方近傍の第２ランプ48は、第２パチンコ機本体４の玉入口部30に入ったパチンコ球の数が設定数に達した際に点滅する。
【００２７】
また、排出手段31には、玉入口部20，30に入ったパチンコ球の数がゲームスタートの後、設定数に達する前にそのゲームを終了するための解除ボタン49が設けられている。解除ボタン49が操作されると、その操作時までに玉入口部20，30に入ったパチンコ球の数に応じた数のコイン２がそれぞれ対応する受入体33，34側に向って排出される。
【００２８】
ここで、排出手段31は、図３に示すように、第１パチンコ機本体３側のコイン投入口５からのコイン２を案内するとともに所定枚数のコイン２を貯める案内部51を有している。案内部51の途中に設けられた切欠部52から排出されるコイン２は、コインプール部53に収容される。案内部51の案内終端側には、パチンコ球が玉入口部20に入った際にコイン２を複数枚、例えば５枚ずつ切り出す切出部54が設けられている。切出部54は、５枚のコイン２を保持するストッパ55、このストッパ55を軸56を中心として回動させるソレノイド等のアクチュエータ57、ストッパ55を復帰させるばね等にて構成されている。切出部54にて切り出されたコイン２は、排出手段31の内部右側に位置する第１収容部58に収容される。同様に、排出手段31は、第２パチンコ機本体４側のコイン投入口６からのコイン２を案内するとともに所定枚数のコイン２を貯める案内部61を有している。案内部61の途中に設けられた切欠部62から排出されるコイン２は、コインプール部63に収容される。案内部61の案内終端側には、パチンコ球が玉入口部30に入った際にコイン２を複数枚、例えば５枚ずつ切り出す切出部64が設けられている。切出部64は、５枚のコイン２を保持するストッパ65、このストッパ65を軸66を中心として回動させるソレノイド等のアクチュエータ67、ストッパ65を復帰させるばね等にて構成されている。切出部64にて切り出されたコイン２は、排出手段31の内部右側に位置する第２収容部68に収容される。
【００２９】
また、排出手段31は、図４に示すように、第１パチンコ機本体３の玉入口部20に入ったパチンコ球の数および第２パチンコ機本体４の玉入口部30に入ったパチンコ球の数のいずれか一方がいずれか他方より先に設定数に達した際に両方の玉入口部20，30に入った合計数に応じた数のコイン２、つまり第１収容部58および第２収容部68に収容されたコイン２を排出する排出部71を有している。
【００３０】
この排出部71は、第１収容部58および第２収容部68の底面部となる板部材72に軸73を介して回動可能に連結された回動アーム74、この回動アーム74を軸75を中心として回動させるソレノイド等のアクチュエータ76、回動アーム74を復帰させるばね77等にて構成されている。
【００３１】
そして、アクチュエータ76の作動により板部材72が図４の２点鎖線に示す退避位置に移動することによって収容部58，68内のコイン２は、コイン用通路78を通って、第１受入体33および第２受入体34の少なくともいずれか一方に向って排出される。すなわち、図３に示されるように、コイン用通路78には図示しないアクチュエータによって回動する回動板79が配設され、回動板79が左側に傾いた状態では第１収容部58および第２収容部68に収容されたコイン２が回動板79にて案内されて第１受入体33側へ排出され、回動板79の垂直状態では第１収容部58内のコイン２が第１受入体33側へ排出されかつ第２収容部68内のコイン２が第２受入体34側へ排出され、回動板79が右側に傾いた状態では第１収容部58および第２収容部68に収容されたコイン２が回動板79にて案内されて第２受入体34側へ排出される。
【００３２】
さらに、排出手段31は、図５および図６に示すように、第１パチンコ機本体３の玉入口部20にパチンコ球が入った際に作動するソレノイド等のアクチュエータ81を有している。アクチュエータ81のロッド部82にはアーム83が連結軸84を介して回動可能に連結されている。アーム83の先端側には、係合部87および受部90を有する爪部材85が軸86を介して回動可能に取り付けられ、この爪部材85の係合部87がギア部材88の溝部89と係合している。アーム83と爪部材85との間にはばね91が装着され、このばね91の付勢力で爪部材85の係合部87がギア部材88の溝部89に押し付けられている。
【００３３】
そして、パチンコ球が第１パチンコ機本体３の玉入口部20に入ってアクチュエータ81が作動すると、アーム83が爪部材85とともにばね92の付勢力に抗して軸93を中心して回動する。この回動によりギア部材88が所定量、例えば隣合う溝部89，89間の１山に対応する距離だけ図示矢印に回動し、このギア部材88の突起部88aがマイクロスイッチ95のレバー部96に向って接近方向へ移動する。例えば第１パチンコ機本体３の玉入口部20に入ったパチンコ球の数が１０個（設定数）に達すると、ギア部材88の突起部88aがレバー部96に接触してマイクロスイッチ95がオンする。
【００３４】
なお、ギア部材88が爪部材85の係合部87で押される形で所定量回動した時点で受止め爪部材97がギア部材88を受け止めるため、ギア部材88は復帰ばね98の付勢力で元の初期状態に復帰しない。例えば第１パチンコ機本体３の玉入口部20に入ったパチンコ球の数が１０個（設定数）に達した後には、ソレノイド等のアクチュエータ99の作動により受止め爪部材97がばね100の付勢力に抗して軸101を中心として回動することにより爪部材85の受部90と当接し、その結果、爪部材85の係合部87がギア部材88から一旦離れてギア部材88が復帰ばね98の付勢力によって元の初期状態に復帰する。
【００３５】
一方、マイクロスイッチ95は、回動可能な取付フレーム103に取り付けられ、この取付フレーム103にはワイヤ104の一端部が連結され、ワイヤ104の中間部がローラ105に掛け渡されている。ワイヤ104の他端部は、設定数用操作手段41の回動部材107の突起106に連結されている。回動部材107には３つの凹部108が形成され、この凹部108内へばね109の付勢力を受けて入り込む球状部材110にて設定数用操作手段41が所望位置に位置決めされる。ローラ105から突出した突出板111には３つの凹部112が形成され、この凹部112内へばね113の先端部が入り込み、このばね113にてそのローラ105に連結部材114を介して連結されたハンディ用操作手段42が所望位置に位置決めされる。そして、設定数用操作手段41の回動操作や、ハンディ用操作手段42の長孔115に沿った移動操作により、取付フレーム103が回動して設定数に対応するマイクロスイッチ95の位置が位置決めされる。
【００３６】
なお、排出手段は、図６に示されるように、第１パチンコ機本体３側と同様、第２パチンコ機本体４の玉入口部30にパチンコ球が入った際に作動するソレノイド等のアクチュエータ121、アーム122、爪部材123、ギア部材124、マイクロスイッチ、受止め爪部材、取付フレーム125、ワイヤ、ローラ等を有している。
【００３７】
次に、上記パチンコ遊戯機１の動作等を説明する。
【００３８】
１人モード状態時には、例えばパチンコ球が玉入口部18，19，20のいずれかに入ると、５枚のコイン２が第１パチンコ機本体３から排出され、この排出された５枚のコイン２が第１受皿20aに収容される。また１人モード状態時に、例えばパチンコ球が玉入口部28，29，30のいずれかに入ると、５枚のコイン２が第２パチンコ機本体４から排出され、この排出された５枚のコイン２が第２受皿30aに収容される。このように、１人でゲームセンターにきた遊戯者は、第１パチンコ機本体３を使用して遊んだり、第２パチンコ機本体４を使用して遊んだりすることが可能である。
【００３９】
一方、例えば友人２人でゲームセンターにきた場合、設定数やハンディを決めた後、コイン２をコイン投入口５，６に投入してゲームを始める。
【００４０】
例えば図２に示す状態は、モード用操作手段43を操作して２人モード状態にし、設定数用操作手段41を操作して設定数を「１０」にし、ハンディ用操作手段42を操作してハンディを「０」にしてゲームを始めて、第１パチンコ機本体３の玉入口部20にパチンコ球が５個入り、第２パチンコ機本体４の玉入口部30にパチンコ球が１個入った状態である。この状態では、第１収容部58内にはコイン２が２５枚収容され、第２収容部68内にはコイン２が５枚収容されている。
【００４１】
そして、例えばこの後、第１パチンコ機本体３の玉入口部20にはパチンコ球が１個も入らず、その一方で、第２パチンコ機本体４の玉入口部30にはパチンコ球が９個入った場合には、玉入口部30に入ったパチンコ球の数が設定数となり、アクチュエータ76の作動に基づいて、第１収容部58内の２５枚のコイン２および第２収容部68内の５０枚のコイン２（合計７５枚のコイン２）が
第２パチンコ機本体４側の第２受入体34側に向って排出され、この第２受入体34内に収容される。
【００４２】
このようにパチンコ遊戯機１によれば、玉入口部20に入ったパチンコ球の数および玉入口部30に入ったパチンコ球の数のいずれか一方がいずれか他方より先に予め設定された設定数に達した場合にそれら両玉入口部20，30に入ったパチンコ球の合計数に応じた数のコイン２が排出されるため、第１パチンコ機本体３或いは第２パチンコ機本体４を使用して１人で遊べるほか、パチンコ球が第１パチンコ機本体３の玉入口部20、第２パチンコ機本体４の玉入口部30に入るのを競い合うことによって２人でも遊ぶことができる。
【００４３】
また、第１パチンコ機本体３および第２パチンコ機本体４として既存の中古のパチンコ台を用いることができるため、パチンコ遊戯機１をきわめて安価に製造できる。なお、中古のパチンコ台を用いる場合、特定入賞口となる２人モード対応の玉入口部として既存の孔部を利用してもよく新たに孔部を設けてもよい。
【００４４】
なお、図７および図８に示すように、ギア部材88，124に代えて、外周部にチェーン嵌合凹部131が形成されたローラ132と、このローラ132のチェーン嵌合凹部131に嵌合されたチェーン133とを有するチェーン付きローラ135を用いてよい。チェーン133は、複数の略コ字状の部材136を互いに回動自在に連結したもので、爪部材85，123の先端側の係合部と係合する孔部137を複数有している。また、構成の簡素化のため、図７に示すアクチュエータ81，121には爪部材85，123が直結されている。なお、玉入口部20，30に入ったパチンコ球の数をカウントする手段として、ギア部材やチェーン付きローラ等からなる機械的な手段の代わりに、電気的な手段を用いてもよい。
【００４５】
また、パチンコ遊戯機１は、ゲームセンター等に設置されるコインゲーム装置には限定されず、例えばパチンコホールに設置されるパチンコ装置にも適用でき、この場合、排出手段31により排出される物品はパチンコ球である。
【００４６】
さらに、切出部54，64によって切り出される物品の数は任意であり、またコインやパチンコ球のほか、おもちゃ等の景品等でもよい。
【図面の簡単な説明】
【００４７】
【図１】本考案のパチンコ遊戯機に係る一実施の形態の正面図である。
【図２】同上パチンコ遊戯機の排出手段の正面図である。
【図３】同上排出手段の概略構成図である。
【図４】同上排出手段の概略構成図である。
【図５】同上排出手段の内部正面図である。
【図６】同上排出手段の内部下面図である。
【図７】本考案の他の実施の形態の排出手段の概略構成図である。
【図８】前記排出手段のチェーンを示す平面図である。
【符号の説明】
【００４８】
１    パチンコ遊戯機
２    物品であるコイン
３    第１パチンコ機本体
４    第２パチンコ機本体
20，30    玉入口部
31    排出手段
33    第１受入体
34    第２受入体
41    設定数用操作手段
42    ハンディ用操作手段
【図１】
0003113974.tif 000003
【図２】
0003113974.tif 000004
【図３】
0003113974.tif 000005
【図４】
0003113974.tif 000006
【図５】
0003113974.tif 000007
【図６】
0003113974.tif 000008
【図７】
0003113974.tif 000009
【図８】
0003113974.tif 000010